(57)【要約】　　　（修正有）【課題】生産工場内の機械設備の運転を制御するプログラマブルコントローラから取り出したデータ信号を、パーソナルコンピュータで容易かつ安価に収集し、記録し、監視することができるインターフェース変換装置の提供。【解決手段】プログラマブルコントローラと、パーソナルコンピュータに接続されたキーボードインターフェースとの間に接続されるインターフェース変換装置は、プログラマブルコントローラに対応したコマンド群を格納するとともに、それらのコマンド群を作成する第１の手段と、その第１の手段で作成されたコマンド群を格納するとともに、それらのコマンド群を順次プログラマブルコントローラに送り、それらのコマンド群に応じてプログラマブルコントローラから送られたデータ信号を一時的に格納する第２の手段と、データ信号をキーボードインターフェースに適合する信号に変換してキーボードインターフェースに送る第３の手段とを有する。【選択図】　図１
2004110536.tif 000002
【特許請求の範囲】
【請求項１】
機械設備の運転状況を制御するプログラマブルコントローラと、パーソナルコンピュータに接続されたキーボードインタフェースとの間に接続されるインタフェース変換装置であって、
前記プログラマブルコントローラに対応したコマンド群を作成する第１の手段と、その第１の手段で作成されたコマンド群を格納するとともに、それらの格納されたコマンド群を予め決められたプログラムに従って順次プログラマブルコントローラに送り、それらのコマンド群に応じてプログラマブルコントローラから送られた所定のデータ信号を一時的に格納させる第２の手段と、その第２の手段に格納されたデータ信号をキーボードインタフェースに適合する信号に変換して、前記キーボードインタフェースに送る第３の手段とを有するインタフェース変換装置。
【請求項２】
前記プログラマブルコントローラの通信仕様に応じたコマンド群を入力するキーボード装置と、そのキーボード装置から出力されるクロック同期型シリアル信号をパラレル８ビット信号に変換する第１のＣＰＵと、前記変換された信号を前記コマンド群として格納するとともに、前記プログラマブルコントローラから前記コマンド群に対応する所定のデータ信号を読み出す為のプログラムを格納する不揮発性メモリ（ＲＯＭ）と、前記プログラムに従って不揮発性メモリ（ＲＯＭ）からコマンド群を読み出し、前記プログラマブルコントローラに対してデータ送信要求を行い、その要求に応じてプログラマブルコントローラから出力されたデータ信号を取り込むようにプログラムされた第２のＣＰＵと、その第２のＣＰＵが取り込んだ前記データ信号を格納する揮発性メモリ（ＤＲＡＭ）と、その揮発性メモリ（ＤＲＡＭ）から取り込んだ前記データ信号をキーボードインタフェースに適合する信号に変換する第３のＣＰＵと、その第３のＣＰＵにおいて変換された信号をパーソナルコンピュータに送るためのＰＳ／２インタフェースとを有していることを特徴とする請求項１に記載のインタフェース変換装置。
【請求項３】
前記キーボードインタフェースに適合する信号と、パーソナルコンピュータが備えるキーボード装置から直接入力される信号とを選択的にパーソナルコンピュータに入力させる切替スイッチを具備してなる請求項２に記載のインタフェース変換装置。
【請求項４】
前記切替スイッチには、パーソナルコンピュータが備えるＵＳＢマウス用インタフェースが並列にまたは連動して接続され、前記キーボードインタフェースに適合する信号が入力される場合には、マウスからのデータ入力が遮断されるように構成されていることを特徴とする請求項２に記載のインタフェース変換装置。
【請求項５】
前記キーボード装置は、パーソナルコンピュータが備えるキーボード装置を兼用したものであることを特徴とする請求項２に記載のインタフェース変換装置。
【請求項６】
プログラマブルコントローラから取り込むデータの件数を決定する読み込み件数設定手段、データの出力時間を調整する手段、個々のデータ間の間隙時間を調整する手段、一文字間の間隙時間を調整する手段、データ群から次のデータ群までの間隙を調整する手段、から選ばれる少なくとも一つを有することを特徴とする請求項２に記載のインタフェース変換装置。
【請求項７】
プログラマブルコントローラからデータを取り込むタイミングを調整する手段を有していることを特徴とする請求項２に記載のインタフェース変換装置。
【発明の詳細な説明】
【０００１】
【発明の属する技術分野】
本発明は、工場内に設置されている機械設備の動作を制御するプログラマブルコントローラとパーソナルコンピュータとを接続し、パーソナルコンピュータ上で機械設備の運転状況を記録し、監視するシステムに好適に用いられるインタフェース変換装置に関する。
【０００２】
【従来の技術】
従来から各種電子機器からの信号をキーボードインタフェースに適合する信号に変換して、パーソナルコンピュータに送信する技術や、産業界で広く使用されているプログラマブルコントローラから、データをパーソナルコンピュータに取り込む各種手法が知られている。
たとえば、特開平７−２６１９０１号公報には、インタフェース自身の汎用性を高める事を目的に、プログラムを抜き差し可能なメモリーカードに格納するといった技術が記載されている。
【０００３】
【発明が解決しようとする課題】
上記従来技術にかかる各種電子機器の殆どは、自ら信号を発し、キーボードインタフェース信号変換器を経由してパーソナルコンピュータに出力するという形態であった為、簡単にデータが入力できるものの、例えば、バーコードリーダーや電子ノギスなど扱える電子機器が極めて限られているという問題があった。
たとえば、特開平７−２６１９０１においては、バーコードリーダーや、計測機器、ポインティングデバイスといった自ら信号を発する機器を接続対象としている。
したがって、変換器自身の信号によってデータを収集するという機能はなく、また、特定の電子機器に合わせたメモリーカードが必要であるとともに、他の新しい電子機器を導入する場合には、そのような電子機器に対応できるメモリーカードの発売を待たねばならないといった問題が生じてしまう。
また、新旧さまざまなパーソナルコンピュータやそのパーソナルコンピュータ上のソフトウェアに対応するには、データの出力時間を調整する手段や、個々のデータ間の間隙時間を調整する手段、一文字間の間隙時間を調整する手段、データ群から次のデータ群までの間隙を調整する手段等によって、データ収集の動作を最適化する機能が求められるが、このような機能をメモリーカードに付与するには、膨大な数のメモリーカードを要することになり、大幅なコストアップにつながり経済的でないという問題がある。
また、プログラマブルコントローラを代表とするコマンド応答型電子通信機器の場合は、パーソナルコンピュータが上位装置となり、ＲＳ−２３２Ｃポートやパラレルポートなどのインタフェースや専用ボードを介して接続する形態となっており、それゆえに、パーソナルコンピュータ側が上位となるよう、通信アプリケーションをインストールして設定を行ったり、Ｃ言語やビジュアルベーシックなどの開発プログラム言語を記述して、アプリケーション化させ、これを動作せしめて取り込む必要があるため、これらのアプリケーションを何らかの形で用意しなければならないという手間やスキル、コスト等が生じていた。また、高価で汎用性の低い接続基板を用意せねばならないという問題もあった。
【０００４】
そこで、この発明の目的は、上記従来技術が抱える問題点を解消して、プログラマブルコントローラから出力されるデータ信号を、キーボードインタフェースに適合する信号に変換し、パーソナルコンピュータを上位装置とする事なく、パーソナルコンピュータに搭載されるごく標準的な事務アプリケーションのみで、収集することができ、その収集したデータを、容易かつ安価に記録し、監視するシステムの構築に好適なインタフェース変換装置を提供することにある。
【０００５】
【課題を解決するための手段】
発明者らは、上記目的の実現に向けて鋭意研究した結果、以下の内容を要旨とする発明を完成するに至った。
すなわち、本発明のインタフェース変換装置は、
（１）　機械設備の運転状況を制御するプログラマブルコントローラと、パーソナルコンピュータに接続されたキーボードインタフェースとの間に接続されるインタフェース変換装置であって、
前記プログラマブルコントローラに対応したコマンド群を作成する第１の手段と、その第１の手段で作成されたコマンド群を格納するとともに、それらの格納されたコマンド群を予め決められたプログラムに従って順次プログラマブルコントローラに送り、それらのコマンド群に応じてプログラマブルコントローラから送られた所定のデータ信号を一時的に格納させる第２の手段と、その第２の手段に格納されたデータ信号をキーボードインタフェースに適合する信号に変換して、前記キーボードインタフェースに送る第３の手段とを有することを特徴とする。
【０００６】
本発明にかかるインタフェース変換装置は、プログラム変更可能なプログラマブルコントローラの通信仕様に応じたコマンド群を入力するキーボード装置と、そのキーボード装置から出力されるクロック同期型シリアル信号をパラレル８ビット信号に変換する第１のＣＰＵと、前記変換された信号を前記コマンド群として格納するとともに、前記ＰＬＣから前記コマンド群に対応する所定のデータ信号を読み出す為のプログラムを格納する不揮発性メモリ（ＲＯＭ）と、前記プログラムに従って不揮発性メモリ（ＲＯＭ）からコマンド群を読み出し、前記ＰＬＣに対してデータ送信要求を行い、その要求に応じてＰＬＣから出力されたデータ信号を取り込むようにプログラムされた第２のＣＰＵと、その第２のＣＰＵが取り込んだ前記データ信号を格納する揮発性メモリ（ＤＲＡＭ）と、その揮発性メモリ（ＤＲＡＭ）から取り込んだ前記データ信号をキーボードインタフェースに適合する信号に変換する第３のＣＰＵと、その第３のＣＰＵにおいて変換された信号をパーソナルコンピュータに送るためのＰＳ／２インタフェースとから構成されることが望ましい。
【０００７】
また、上記インタフェース変換装置においては、前記第３のＣＰＵにおいて変換されたキーボードインタフェースに適合する信号と、パーソナルコンピュータが備えるキーボード装置から直接入力される信号とを選択的にパーソナルコンピュータに入力させる切替スイッチを設けることが好ましい。
【０００８】
また、上記切替スイッチには、パーソナルコンピュータが備えるＵＳＢマウス用インタフェースが並列にまたは連動して接続され、キーボードインタフェースに適合する信号が入力される場合には、マウスからのデータ入力が遮断されるような構成、たとえば、切替スイッチを設けて、作動中に、不用意なキーボードやマウスの操作に起因するパーソナルコンピュータへのデータ転送の不具合を防止することが好ましい。
【０００９】
さらに、上記インタフェース変換装置においては、キーボード装置によりコマンド群を作成する際に、打ち込まれた数字や文字を目視できるような表示器、たとえば液晶表示器を設けることが好ましい実施の形態である。
上記キーボード装置は、切替スイッチによりパーソナルコンピュータが予め備えるキーボード装置と兼用するように構成することが望ましい。
【００１０】
上記インタフェース変換装置においては、一般的に工場内に設置されるプログラマブルコントローラと、そのプログラマブルコントローラが設置される工場現場と離れた場所、たとえば事務所内に設置される事が多いパーソナルコンピュータとの間の距離は、長くなりがちであることから、プログラマブルコントローラとインタフェース変換装置とを接続するインタフェースとしては、耐ノイズ性に優れるとともに、長距離伝送が可能なもの、たとえば、ＲＳ−４２２Ａや、無線を用いたインタフェースを採用することが望ましい。
【００１１】
また、上記インタフェース変換装置においては、あたかも人間がキーボードから入力しているのと同じような動作を機械的に行えるようにする為、データの出力時間、個々のデータ間の間隙時間、一文字間の間隙時間、データ群から次のデータ群までの間隙時間などを調整する手段をそれぞれ設けることが望ましく、それらの手段は、ディップスイッチ等の各種設定スイッチによって実現できるが、ＲＯＭに格納した所定のプログラムによって実現することもできる。
【００１２】
さらに、プログラマブルコントローラからデータを取り込むタイミングを調整するスイッチ、たとえば、タイマーを変換装置内に設けて所定の時間間隔でデータ収集を行なうようにすることが望ましい。
【００１３】
また、プログラマブルコントローラや他の外部機器に設けたセンサーからの信号を取り込み、あるいは操作者自身が直接に作動させたスイッチからの信号を取り込み、そのような外部信号の入力をトリガーとしてデータ信号を取り込むこともできる。
【００１４】
一般的に、プログラマブルコントローラと通信する場合には、通信仕様（ｐｒｏｔｏｃｏｌ）を設定するが、本発明にかかるインタフェース変換装置においては、プログラマブルコントローラが上位リンクモードで動作するようにプログラミングされ、従来技術ではプログラマブルコントローラ側で作成していた複雑なラダー図を不要にしたモードに対応させる事が望ましい。
【００１５】
本発明にかかるインタフェース変換装置においては、キーボード装置によってプログラマブルコントローラに対して各種プログラムを書き込むことができるので、通信仕様等の設定が容易となり、また従来技術のように異なるプログラマブルコントローラ毎にメモリーカードを用意する必要がなくなる。
【００１６】
【発明の実施の形態】
以下、本発明のインタフェース変換装置の一実施の形態を添付図面を参照して説明する。
図１は、インタフェース変換装置を用いた、データ収集記録監視システムを示すブロック図である。この実施形態では、プログラマブルコントローラとインタフェース変換装置との接続が有線によって行なわれる例である。
【００１７】
符号１０は、工場内に設置された産業機械等の機械設備１２の運転を制御するプログラマブルコントローラ（以下、「ＰＬＣ」と言う）であり、一つの制御動作の終了を確認し、その結果に応じて次の動作を選定する等、あらかじめ定められた順序に従って、制御の各段階を逐次進めていく制御方式を行なう制御機器として用いられ、主としてマイクロコンピュータから構成されるのが一般的である。
【００１８】
このＰＬＣ１０（図示では１つだけが示されるが、複数であっても良い）は、機械設備１２から出力される運転状況やプロセス情報を示す種々の信号を、インタフェースを介して受け取り、これらの信号を内蔵ＲＯＭに格納されたプログラムにしたがって処理する。
【００１９】
本発明にかかるインタフェース変換装置１００は、上記ＰＬＣ１０から出力される信号（デジタルシリアル信号）をキーボード信号に変換した後、パーソナルコンピュータ２０に直接取り込むように構成され、パーソナルコンピュータ２０においては、市販の汎用ソフトである「エクセル」、「アクセス」（いずれもマイクロソフト社の登録商標）などによってデータをそのまま取り込み、ディスプレー２３上にそれらのデータを表示させてデータ信号を監視し、必要に応じてハードディスク等のデータ記憶装置に格納できるという特徴があり、このような特徴を利用して、ＰＬＣ１０の制御対象である機械設備１２の運転状況やプロセス情報に関するデータを、速やかにしかもリアルタイムで記録し、監視するシステムを構築するのに好適である。
【００２０】
上記パーソナルコンピュータ２０は、キーボード３０を接続するためのインタフェース（以下、「キーボードインタフェース」と言う）のほかに、汎用のシリアルインタフェースを備えており、さらにキーボード３０やマウス３２を予め備えている。
【００２１】
本発明にかかるインタフェース変換装置１００は、ＰＬＣ１０の通信仕様に応じたコマンド群を入力するキーボード装置２４と、そのキーボード装置２４から出力されるクロック同期型シリアル信号をパラレル８ビット信号に変換する第１のＣＰＵ２６と、前記変換された信号を前記コマンド群として格納するとともに、前記ＰＬＣ１０から前記コマンド群に対応する所定のデータ信号を読み出す為のプログラムを格納する不揮発性メモリ（ＲＯＭ）と、前記プログラムに従って不揮発性メモリ（ＲＯＭ）からコマンド群を読み出し、前記ＰＬＣ１０に対してデータ送信要求を行い、その要求に応じてＰＬＣ１０から出力されたデータ信号を取り込むようにプログラムされた第２のＣＰＵ１６、その第２のＣＰＵ１６が取り込んだ前記データ信号を格納する揮発性メモリ（ＤＲＡＭ）と、その揮発性メモリ（ＤＲＡＭ）から取り込んだ前記データ信号をキーボードインタフェースに適合する信号に変換する第３のＣＰＵ１８と、その第３のＣＰＵ１８において変換された信号をパーソナルコンピュータ２０に送るためのＰＳ／２インタフェース２２とを含んで構成される。
以下、具体的に説明する。
【００２２】
ＰＬＣ１０と第２のＣＰＵ１６とを接続するインタフェース１４は、この実施形態では、ＲＳ−４２２Ａから構成されるが、これに限定されるものではなく、ＲＳ−２３２Ｃや、デジタルＩ／０、イーサネット（登録商標）等の汎用Ｉ／Ｏの少なくとも一つのインタフェースから構成することができる。
【００２３】
上記不揮発性メモリ（ＲＯＭ）は、ＰＬＣ１０から所定のデータを読み出す為のプログラムを格納する。この実施形態における不揮発性メモリは、第２のＣＰＵ１６に内蔵されており、格納されたプログラムを作動させるコマンド群は、図２に示すようなキーボード装置２４によって打ち込まれ、第１のＣＰＵ２６において作成され、第２のＣＰＵ１６の不揮発性メモリに格納される。
【００２４】
すなわち、ＰＬＣ１０の通信プロトコルに対応した設定は、液晶表示器２８を見ながらコマンドデータをキーボード装置２４によって打ち込み、第１のＣＰＵ２６においてはキーボード装置２４からのクロック同期型シリアル信号が、パラレル８ビット信号に変換され、その変換されたコマンドデータは第２のＣＰＵ１６の不揮発性メモリに入力し、そこに格納される。
【００２５】
第２のＣＰＵ１６においては、不揮発性メモリに格納されたコマンド群が一つずつ引き出され、ＲＳ−２３２ＣインタフェースもしくはＲＳ−４２２インタフェースを介してＰＬＣ１０に送られ、それらのコマンドに基づいたデータ信号がＰＬＣ１０から第２のＣＰＵ１６に送られ、その内部メモリに一旦格納される。
【００２６】
そして、第２のＣＰＵ１６はキーボード信号変換ＣＰＵ１８とハンドシェイクしながら、その内部メモリに一旦格納されたデータをキーボード信号変換ＣＰＵ１８に送り、そのキーボード信号変換ＣＰＵ１８においては、第２のＣＰＵ１６から送られたパラレル８ビット信号がクロック同期型信号に変換され、ＰＳ／２インタフェース２２を介してパーソナルコンピュータ２０に出力され、そのパーソナルコンピュータ２０上では市販の汎用ソフトである「アクセス」や「エクセル」（いずれもマイクロソフト社の登録商標）を用いてデータ収集し、表示機２３上に表示させながら、必要に応じてハードディスク等のデータ記憶装置に格納させることができる。
【００２７】
本発明にかかるインタフェース変換装置は、予めキーボード装置２４によって打ち込まれ、第１のＣＰＵ２６においてパラレル８ビット信号に変換されたコマンド群が、第２のＣＰＵ１６に内蔵されることがあるＲＯＭに格納され、第２のＣＰＵ１６が自らＰＬＣ１０に対して所定のコマンドを発信し、ＰＬＣ１０からそれらのコマンドに対応した所望のデータ信号を受信し、一旦、ＲＡＭに格納した後、そのデータ信号をキーボード信号変換ＣＰＵ１８に送って、キーボード信号に変換し、そのキーボード信号を人間がキーを打つようにしてパーソナルコンピュータに出力させるように構成されるが、さらに、このように人間がキーを打つ場合と同じような動作をさせる為に、キーを押してから離すまでの時間を設定する機能、ＰＬＣ１０から取り込むデータの件数を設定する機能、出力される個々のデータ間の時間間隔を設定する機能、タブ後に次のデータを出力するまでの時間を設定する機能、およびエンター後の次のデータを出力するまでの時間を設定する機能をそれぞれ備えていることが好ましい。
【００２８】
なお、市販の「エクセル」や「アクセス」等などのソフトにおいては、データとデータの間にタブを入力し、終わったらエンターを入力して改行させて行くと、それらのデータを含んだ所定のファイル（エクセル（ｘｌｓ）形式、アクセス（ｍｄｂ）形式）として保存できるので、上記ＰＬＣの設定に関する多くのコマンドを連続的に記録する際に、「タブ」や「エンター」をデータの間に適宜挿入しながらキーボード信号としてパソコンに送信する事で、エクセルやアクセス等の市販ソフトに特別な改造をする事なく、容易にデータ収集を行なうことができる。
【００２９】
この実施形態では、上記設定機能をそれぞれディップスイッチ４０、４２、４４および４６により行なうように構成し、本装置の電源をＯＮにすると最初の一回だけディップスイッチの設定値を第２のＣＰＵ１６が読みに行き、メモリに収納する。第２のＣＰＵ１６は、この設定値を実際にコントロールするデータ、例えば間隙時間などに変換して収集したデータとともに出力するように構成されている。
【００３０】
上記設定機能は、ディップスイッチのような形態に限らず、第２のＣＰＵ１６内のＲＯＭに格納した所定のプログラムを実行することにより行なうこともできる。
また、上記コマンド群を作成するキーボード装置２４を用いて設定する事もできる。
【００３１】
さらに、本発明にかかるインタフェース変換装置においては、ＰＬＣ１０からデータ信号を取り込むタイミングを調整するスイッチ、たとえば、タイマー５０を、変換装置内に設けて所定の時間間隔でデータ収集を行なうようにすることが望ましい。
【００３２】
また、外部（ＰＬＣやその他の機器、操作者が押すスイッチなども含む）から信号を取り込み、そのような外部信号の入力に応じてデータを取り込むこともできる。
【００３３】
上記実施形態によれば、インタフェース変換装置１００の第２のＣＰＵ１６からＰＬＣ１０に対するデータ送信要求により、所定のデータ信号がＰＬＣ１０から第２のＣＰＵ１６に取り込まれた後、キーボード信号変換ＣＰＵ１８においてキーボードインタフェースに適合する信号に変換され、その変換されたデータ信号はＰＳ／２インタフェース２２を介してパーソナルコンピュータ２０に送られ、そのパーソナルコンピュータ２０においては、市販のソフトによってデータはそのまま取り込まれるので、たとえば、ＰＬＣ１０に取り込まれる大量の製造加工に関わるプロセス情報を、高速で、かつリアルタイムで収集できるので、極めて容易にかつ安価にデータを収集し、記録し、監視することができる。
【００３４】
図３は、本発明にかかるキーボード入力変換装置の第２の実施形態を示すブロック図である。この実施形態は、ＰＬＣ１０とインタフェース変換装置１００との接続が無線によって行なわれる例であり、図１と同一の符号で示される部分は、同一または類似の部分を示す。
【００３５】
この実施形態は、ＰＬＣ１０によって制御される機械設備１２が設置された生産工場エリアＡと、それらの機械設備１２の運転状況を記録し、監視する管理棟エリアＢが、数十ｍ〜百ｍ以上離れている場合や、配線工事の難しい環境への設置に有効であり、オペレータが機械設備１２の運転状況を速やかに把握することができる。
【００３６】
すなわち、生産工場エリアＡ内のＰＬＣ１０側と、そこから離れた場所にある管理棟エリアＢ内のインタフェース変換装置１００側とに、子無線機５０と親無線機５２とそれぞれを設け、ＰＬＣ１０とインタフェース変換装置１００との間のデータ信号のやり取りを子無線機５０と親無線機５２とを介して行なうように構成する。
【００３７】
このような構成によれば、インタフェース変換装置１００の第２のＣＰＵ１６からＰＬＣ１０に対するデータ送信要求等の信号は、親無線機５２から子無線機５０を介してＰＬＣ１０に送られ、またＰＬＣ１０から出力されるデータは子無線機５０から親無線機５２を介してインタフェース変換装置１００に取り込まれ、キーボードインタフェースに適合する信号に変換された後、ＰＳ／２インタフェース２２を介してパーソナルコンピュータ２０に送られ、そのパーソナルコンピュータ２０においては、市販のアプリケーションソフトによってデータはそのまま取り込まれるので、生産工場エリアＡと管理棟エリアＢとが、数十ｍ〜百ｍ以上離れている場合や、配線工事の難しい環境に設置された場合でも、オペレータが機械設備１２の運転状況を速やかにかつリアルタイムで把握でき、極めて容易にかつ安価にデータを収集し、記録し、監視することができる。
【００３８】
なお、この実施形態では、一つの子親無線機５０に対して一つの親無線機５２を設けたが、ポーリングなどによって複数の子親無線機を一つの親無線機に対して設け、その各子無線機を介して複数のＰＬＣからデータ信号をそれぞれ取り込むことができるので、複数の機械設備の運転状況やプロセス情報を一括して収集すし、それらのデータ信号を一元的に管理することもできる。
【００３９】
【発明の効果】
以上説明したように、本発明にかかるインタフェース変換装置によれば、生産工場内の機械設備の運転を制御するプログラマブルコントローラから取り出したデータ信号を、パーソナルコンピュータを上位装置とする事なく、ごく標準的な事務アプリケーションのみで、高速でかつリアルタイムでパーソナルコンピュータに取り込むことができるので、容易かつ安価に収集し、記録し、監視することができる。
【図面の簡単な説明】
【図１】本発明にかかるインタフェース変換装置を用いたデータ収集記録監視システムのブロック図である。
【図２】本発明にかかるインタフェース変換装置のコマンド作成を説明するためのブロック図である。
【図３】本発明にかかるインタフェース変換装置を用いた他のデータ収集記録監視システムのブロック図である。
【符号の簡単な説明】
１０　プログラマブルコントローラ（ＰＬＣ）
１２　機械設備
１４　ＲＳ−４２２Ａ　インタフェース
１６　第２のＣＰＵ
１８　第３のＣＰＵ（キーボード信号変換ＣＰＵ）
１９　切替スイッチ
２０　パーソナルコンピュータ
２２　ＰＳ／２インタフェース
２３　ディスプレー
２４　キーボード装置
２６　第１のＣＰＵ
２８　液晶表示器
３０　キーボード装置
３２　マウス
５０　子無線機
５２　親無線機
１００　インタフェース変換装置
【図１】
2004110536.tif 000003
【図２】
2004110536.tif 000004
【図３】
2004110536.tif 000005